(57)【要約】【課題】デジタルサイネージに、従来に無い新たな操作手法を提案する。【解決手段】デジタルサイネージ１は、電波到達範囲を細かく設定できるビーコンを搭載し、所望の距離以内にある携帯情報端末２へビーコン波１５３１を送信する第１の無線通信手段を備え、スマートフォンなどの携帯情報端末２は、前記ビーコン波１５３１を受信して応答信号（９）を返信することで双方向通信を実現する第２の無線通信手段を備える。デジタルサイネージ１は、前記第２の無線通信手段からの応答信号（９）の受信によって、液晶パネル１８１の表示態様を変化し、タッチパネルの操作を許容し、或いはポイントやクーポンを付与する。したがって、利用者が所定の距離にあると、表示態様が変化したり、タッチパネル操作が可能になったり、ポイントなどの特典が付与されたりするので、デジタルサイネージ１の新たな操作手法を提案することができる。【選択図】図１
2017125901.tif 000002
【特許請求の範囲】
【請求項１】
利用者に所持される携帯情報端末と、前記携帯情報端末と双方向通信可能なデジタルサイネージとを備えて構成される情報提供システムであって、
前記デジタルサイネージは、ビーコン波を送信する第１の無線通信手段を備え、
前記携帯情報端末は、前記ビーコン波を受信して応答信号を返信することで前記双方向通信を実現する第２の無線通信手段を備え、
前記デジタルサイネージは、前記第２の無線通信手段による応答信号の受信によって、表示手段の表示態様を変化させる表示駆動手段をさらに備えることを特徴とする情報提供システム。
【請求項２】
利用者に所持される携帯情報端末と、前記携帯情報端末と双方向通信可能なデジタルサイネージとを備えて構成される情報提供システムであって、
前記デジタルサイネージは、ビーコン波を送信する第１の無線通信手段を備え、
前記携帯情報端末は、前記ビーコン波を受信して応答信号を返信することで前記双方向通信を実現する第２の無線通信手段を備え、
前記デジタルサイネージは、表示手段にタッチセンサを備え、前記第２の無線通信手段による応答信号の受信によって、タッチセンサ操作を許容する制御手段をさらに備えることを特徴とする情報提供システム。
【請求項３】
利用者に所持される携帯情報端末と、前記携帯情報端末と双方向通信可能なデジタルサイネージとを備えて構成される情報提供システムであって、
前記デジタルサイネージは、ビーコン波を送信する第１の無線通信手段を備え、
前記携帯情報端末は、前記ビーコン波を受信して応答信号を返信することで前記双方向通信を実現する第２の無線通信手段を備え、
前記デジタルサイネージは、前記第２の無線通信手段による応答信号の受信によって、携帯情報端末へ、電子マネー、電子クーポンまたはポイントの少なくとも１つの特典を付与する特典付与手段をさらに備えることを特徴とする情報提供システム。
【請求項４】
前記特典付与手段は、一の携帯情報端末と他の携帯情報端末とを、相互に関連付けて登録する僚機登録機能を有し、僚機登録によって、追加の前記特典の付与、および／または以降の前記特典の付与率をアップすることを特徴とする請求項３記載の情報提供システム。
【請求項５】
前記特典付与手段は、登録僚機の数が増える程、前記特典の付与を行う、或いは付与率をアップすることを特徴とする請求項４記載の情報提供システム。
【請求項６】
前記特典付与手段は、該携帯情報端末の第２の無線通信手段に前記双方向通信を実現させるアプリケーションプログラムの登録時、前記アプリケーションプログラムの起動時、または前記特典の使用時に、前記特典の付与を行うことを特徴とする請求項４または５記載の情報提供システム。
【請求項７】
前記特典付与手段は、複数の携帯情報端末が、同時に前記応答信号を返信すると、前記特典をより多く付与することを特徴とする請求項４記載の情報提供システム。
【請求項８】
前記表示駆動手段は、前記表示手段に、利用者の視聴に対する特典もしくは広告を提供するためのアドレスの２次元バーコードを表示させることを特徴とする請求項１記載の情報提供システム。
【請求項９】
前記広告の閲覧に対して、ネットワークを介して、閲覧した携帯情報端末に特典を付与するサーバコンピュータを備えていることを特徴とする請求項８記載の情報提供システム。
【請求項１０】
利用者に所持される携帯情報端末と、前記利用者によって操作されるデジタルサイネージとを備えて構成される情報提供システムにおいて、
前記デジタルサイネージを制御するとともに、前記携帯情報端末と無線通信回線を介して接続される制御手段をさらに備え、
前記デジタルサイネージは、自機の識別情報を含むビーコン波を送信するビーコン送信手段を備え、
前記携帯情報端末は、前記ビーコン波を受信するビーコン受信手段と、前記受信手段で前記ビーコン波を受信すると、その受信したデジタルサイネージの識別情報を含む入感信号を前記無線通信回線を介して制御手段に送信する応答手段とを備え、
前記制御手段は、前記入感信号を受信すると、前記デジタルサイネージに予め定める動作を行なわせることを特徴とする情報提供システム。
【請求項１１】
前記デジタルサイネージは、教育機関における学生の集会所に設置され、前記表示手段における表示コンテンツは、前記学生に提供すべき情報が主体であることを特徴とする請求項１または２記載の情報提供システム。
【請求項１２】
前記デジタルサイネージとネットワークを介して接続されるサーバコンピュータを備え、該サーバコンピュータに、前記携帯情報端末から、前記学生に固有の学内におけるアドレスを登録させることを特徴とする請求項１〜１１の何れか１項に記載の情報提供システム。
【請求項１３】
前記デジタルサイネージとネットワークを介して接続されるサーバコンピュータを備え、前記表示駆動手段が前記表示手段に表示させる画像データは、該サーバコンピュータから配信されることを特徴とする請求項１記載の情報提供システム。
【請求項１４】
前記双方向通信には、Bluetooth Low Energyによるビーコン機能が使用されることを特徴とする請求項１〜９の何れか１項に記載の情報提供システム。
【発明の詳細な説明】
【技術分野】
【０００１】
本発明は、情報提供システムに関し、その提供媒体として、デジタルサイネージ（ Digital Signage＝電子看板）を用いるものに関する。
【背景技術】
【０００２】
デジタルサイネージは、表示と通信にデジタル技術を活用して平面ディスプレイやプロジェクタなどによって映像や情報を表示する広告媒体である。その広告媒体から、近年では、小型のものが、駅や空港での案内板として利用され、検索によってよるガイダンス画面を表示するようなものが登場している。後者のもので、特許文献１は、利用者に操作されていない間、ディスプレイの表示領域の全領域に広告用コンテンツを広い視野角で表示し、利用者に操作されると、検索用コンテンツを狭い視野角で一部分に表示し、残余の部分で広告用コンテンツを広い視野角で表示することが示されている。
【先行技術文献】
【特許文献】
【０００３】
【特許文献１】特開２０１４−１０２３７号公報
【発明の概要】
【発明が解決しようとする課題】
【０００４】
上記の特許文献１等、従来からの利用者の操作可能なデジタルサイネージでは、タッチ操作のみが、利用者によるデジタルサイネージの操作手法である。
【０００５】
本発明の目的は、デジタルサイネージの新たな操作手法を提案する情報提供システムを提供することである。
【課題を解決するための手段】
【０００６】
本発明の情報提供システムは、利用者に所持される携帯情報端末と、前記携帯情報端末と双方向通信可能なデジタルサイネージとを備えて構成される情報提供システムであって、前記デジタルサイネージは、ビーコン波を送信する第１の無線通信手段を備え、前記携帯情報端末は、前記ビーコン波を受信して応答信号を返信することで前記双方向通信を実現する第２の無線通信手段を備え、前記デジタルサイネージは、前記第２の無線通信手段による応答信号の受信によって、表示手段の表示態様を変化させる表示駆動手段をさらに備えることを特徴とする。
【０００７】
上記の構成によれば、利用者が操作することで、所望の情報等を表示させることができるデジタルサイネージにおいて、電波到達範囲を細かく設定できるビーコンを搭載し、所望の距離以内にある携帯情報端末と、双方向通信を行う。具体的には、デジタルサイネージには、ビーコン波を送信する第１の無線通信手段を設け、対応して携帯情報端末には、前記ビーコン波を受信して応答信号を返信することで前記双方向通信を実現する第２の無線通信手段を設ける。そしてデジタルサイネージにおいて、表示手段を表示駆動する表示駆動手段は、前記第２の無線通信手段による応答信号の受信によって、表示手段の表示態様を変化させる。
【０００８】
したがって、利用者が所定の距離にあると、表示態様が変化するので、これまでタッチパネルの操作位しか受付けられなかったデジタルサイネージの新たな操作手法を提案することができる。しかも、デジタルサイネージにはビーコンを搭載するだけで、すなわちコストが殆ど掛らず、ビーコン機能を有するスマートフォンなどを携帯情報端末として使用して、すなわち携帯情報端末側にはアプリケーションプログラムをダウンロードするだけで、本システムを実現することができる。
【０００９】
また、本発明の情報提供システムは、利用者に所持される携帯情報端末と、前記携帯情報端末と双方向通信可能なデジタルサイネージとを備えて構成される情報提供システムであって、前記デジタルサイネージは、ビーコン波を送信する第１の無線通信手段を備え、前記携帯情報端末は、前記ビーコン波を受信して応答信号を返信することで前記双方向通信を実現する第２の無線通信手段を備え、前記デジタルサイネージは、表示手段にタッチセンサを備え、前記第２の無線通信手段による応答信号の受信によって、タッチセンサ操作を許容する制御手段をさらに備えることを特徴とする。
【００１０】
上記の構成によれば、ビーコンによって所定の距離内にある利用者の携帯情報端末を認識した場合、制御手段がタッチセンサ操作を許容する。すなわち、認識された利用者のみに、デジタルサイネージの操作を制限する。
【００１１】
したがって、デジタルサイネージの新たな操作手法を提案することができる。
【００１２】
さらにまた、本発明の情報提供システムは、利用者に所持される携帯情報端末と、前記携帯情報端末と双方向通信可能なデジタルサイネージとを備えて構成される情報提供システムであって、前記デジタルサイネージは、ビーコン波を送信する第１の無線通信手段を備え、前記携帯情報端末は、前記ビーコン波を受信して応答信号を返信することで前記双方向通信を実現する第２の無線通信手段を備え、前記デジタルサイネージは、前記第２の無線通信手段による応答信号の受信によって、携帯情報端末へ、電子マネー、電子クーポンまたはポイントの少なくとも１つの特典を付与する特典付与手段をさらに備えることを特徴とする。
【００１３】
上記の構成によれば、ビーコンによって所定の距離内にある利用者の携帯情報端末を認識した場合、特典付与手段が、その携帯情報端末に特典を付与する。
【００１４】
したがって、利用者が特典の入手などを目的として該デジタルサイネージを視聴する動機付けを行うことができ、集客効果を高めることができる。こうして、デジタルサイネージの新たな操作手法を提案することができる。
【００１５】
また、本発明の情報提供システムでは、前記特典付与手段は、一の携帯情報端末と他の携帯情報端末とを、相互に関連付けて登録する僚機登録機能を有し、僚機登録によって、追加の前記特典の付与、および／または以降の前記特典の付与率をアップすることを特徴とする。
【００１６】
上記の構成によれば、複数台の携帯情報端末を僚機（友達）としてデジタルサイネージ側に登録することで、新たな特典が付与されたり、以降の前記特典の付与率がアップすることになる。
【００１７】
したがって、利用者が特典の入手を目的として、友達（僚機）を勧誘することになって該デジタルサイネージを視聴する動機付けを行うことができ、口コミなどと同様の集客効果を高めることができる。
【００１８】
さらにまた、本発明の情報提供システムでは、前記特典付与手段は、登録僚機の数が増える程、前記特典の付与を行う、或いは付与率をアップすることを特徴とする。
【００１９】
上記のように、登録僚機（友達）を多く集める程、より多くの特典が付与されるので、前記口コミなどによる集客効果を、より高めることができる。
【００２０】
また、本発明の情報提供システムでは、前記特典付与手段は、該携帯情報端末の第２の無線通信手段に前記双方向通信を実現させるアプリケーションプログラムの登録（ダウンロードしてユーザ登録する）時、前記アプリケーションプログラムの起動時、または前記特典の使用時に、前記特典の付与を行うことを特徴とする。
【００２１】
上記の構成によれば、本情報提供システムを使えば使う程、多くの特典を受けることができる。
【００２２】
さらにまた、本発明の情報提供システムでは、前記特典付与手段は、複数の携帯情報端末が、同時に前記応答信号を返信すると、前記特典をより多く付与することを特徴とする。
【００２３】
上記の構成によれば、デジタルサイネージの付近に集まって、同時に特典を受ける僚機（友達）の数が多くなる程、より多くの特典を受けることができる。
【００２４】
したがって、同時の集客効果を、より高めることができ、イベントなどに有効である。
【００２５】
また、本発明の情報提供システムでは、前記表示駆動手段は、前記表示手段に、利用者の視聴に対する特典もしくは広告を提供するためのアドレスの２次元バーコードを表示させることを特徴とする。
【００２６】
上記の構成によれば、所謂スマートフォンのカメラ機能を利用して、２次元バーコードを撮影するだけで、容易に、特典の獲得アドレスや広告のアドレスにアクセスして、該特典を受けたり、広告を見たりすることができる。
【００２７】
さらにまた、本発明の情報提供システムでは、前記広告の閲覧に対して、ネットワークを介して、閲覧した携帯情報端末に特典を付与するサーバコンピュータを備えていることを特徴とする。
【００２８】
上記の構成によれば、当該情報提供システムのサービス提供会社や、スポンサー企業などに設置されるサーバコンピュータに、広告閲覧のためにアクセスすると、特典が付与される。
【００２９】
したがって、サーバコンピュータ側で、特典の種類や量を、任意に設定・更新することができ、サービス価値を向上することができる。また、広告を利用した利用者のアクセスの誘導によるアンケートやプレゼントなど、データ収集や多彩な応用展開に利用することもできる。
【００３０】
また、本発明の情報提供システムでは、前記デジタルサイネージは、教育機関における学生の集会所に設置され、前記表示手段における表示コンテンツは、前記学生に提供すべき情報が主体であることを特徴とする。
【００３１】
上記の構成によれば、教育機関における学生の集会所、たとえば食堂やカフェテリアには、単に広告だけのデジタルサイネージの設置にはそぐわないところ、ビーコンで利用者を学生に特定し、適した表示コンテンツやサービスを提供することで、それらの箇所への該デジタルサイネージの設置の敷居が低くなり、利用者（学生）および広告主の両方に対して有益な新たなデジタルサイネージ（ビジネスモデル）を実現することができる。
【００３２】
さらにまた、本発明の情報提供システムでは、前記デジタルサイネージとネットワークを介して接続されるサーバコンピュータを備え、該サーバコンピュータに、前記携帯情報端末から、前記学生に固有の学内におけるアドレスを登録させることを特徴とする。
【００３３】
上記の構成によれば、デジタルサイネージを設置し、利用者向けの情報を表示するにあたって、該デジタルサイネージの設置場所を上述のように学校内として、学生向けの情報を提供するにあたって、デジタルサイネージと携帯情報端末との間の前記双方向通信だけでなく、前記デジタルサイネージとネットワークを介して接続されるサーバコンピュータを設け、このサーバコンピュータに、前記携帯情報端末から、前記学生に固有の学内におけるアドレスを登録させる。前記学内におけるアドレスとしては、〜＠unvなどの、学生が学校関係の情報をやり取りするのに使用する固有の電子メールアドレスである。たとえば、前記学生向けの情報としては、前記学校内であるので、休講案内や同窓会の案内、生協の情報など、多岐に亘る。
【００３４】
したがって、利用者（学生）の学内のアドレスが登録されていると、前記学生向けの情報を、より適切に選択して提供することができる。また、利用者（学生）がデジタルサイネージの近くに居なくても、インターネットのメール回線などを介して、サーバコンピュータから携帯情報端末に、直接に情報を提供することも可能になる。
【００３５】
また、本発明の情報提供システムでは、前記デジタルサイネージとネットワークを介して接続されるサーバコンピュータを備え、前記表示駆動手段が前記表示手段に表示させる画像データは、該サーバコンピュータから配信されることを特徴とする。
【００３６】
上記の構成によれば、デジタルサイネージで表示させる情報をサーバコンピュータから提供することで、多彩な情報を提供することができる。
【００３７】
さらにまた、本発明の情報提供システムでは、前記双方向通信には、Bluetooth Low Energy（BLE、Bluetoothは登録商標）によるビーコン機能が使用されることを特徴とする。
【００３８】
上記の構成によれば、携帯情報端末としては、所謂スマートフォンを使用し、前記ビーコン機能は、そのスマートフォンの位置情報を特定し、その位置情報に合わせた情報を配信する仕組み（O2O（Online to Offline）など）である。これを利用して、スマートフォンがデジタルサイネージからビーコンで検知される所定範囲にあれば、デジタルサイネージはスマートフォンを認証して、前記表示態様の切換えやタッチセンサ操作を可能にする。したがって、ビーコンが届かない自宅などでは動かない。また、このビーコン機能による、所謂プッシュ配信によって、スマートフォン側でも、利用者にタッチセンサ操作などが可能であることを、報知することができる。
【００３９】
したがって、登録された利用者がデジタルサイネージの付近に居なければ操作ができないので、デジタルサイネージ付近に利用者を集める集客作用を実現することができる。また、前記所定範囲は、１０メートル程度／数メートル程度／数センチ程度と、３段階に設定することができ、その距離に応じて、配信する情報を分けることもできる。
【００４０】
また、本発明の情報提供システムは、利用者に所持される携帯情報端末と、前記利用者によって操作されるデジタルサイネージとを備えて構成される情報提供システムにおいて、前記デジタルサイネージを制御するとともに、前記携帯情報端末と無線通信回線を介して接続される制御手段をさらに備え、前記デジタルサイネージは、自機の識別情報を含むビーコン波を送信するビーコン送信手段を備え、前記携帯情報端末は、前記ビーコン波を受信するビーコン受信手段と、前記受信手段で前記ビーコン波を受信すると、その受信したデジタルサイネージの識別情報を含む入感信号を前記無線通信回線を介して制御手段に送信する応答手段とを備え、前記制御手段は、前記入感信号を受信すると、前記デジタルサイネージに予め定める動作を行なわせることを特徴とする。
【００４１】
上記の構成によれば、利用者が操作することで、所望の情報等を表示させることができるデジタルサイネージにおいて、電波到達範囲を細かく設定できるビーコンを搭載し、携帯情報端末が所望の距離以内に入り、ビーコン波が入感すると、そのことをサーバコンピュータなどで実現される制御手段を通してデジタルサイネージに報知し、所定の動作を行なわせる。具体的には、デジタルサイネージには、ビーコン波を送信するビーコン送信手段を設け、対応して携帯情報端末には、前記ビーコン波を受信するビーコン受信手段を設けるとともに、携帯情報端末が無線通信回線を介して接続される前記制御手段は、デジタルサイネージと通信を行えるようにする。そして、制御手段からデジタルサイネージに、近くに存在する携帯情報端末にビーコン波が入感したことが通知されると、デジタルサイネージは、所定の動作、たとえば表示を変えたり、音を出したり、タッチ操作を可能にしたりする。
【００４２】
したがって、利用者が所定の距離にあると、デジタルサイネージの動作が自動的に変化するので、これまでタッチパネルの操作位しか受付けられなかったデジタルサイネージの新たな操作手法を提案することができる。しかも、サーバコンピュータなどの制御手段を設置するとともに、デジタルサイネージにはビーコンを搭載するだけで、すなわちコストが殆ど掛らず、ビーコン機能を有するスマートフォンなどを携帯情報端末として使用して、すなわち携帯情報端末側にはアプリケーションプログラムをダウンロードするだけで、本システムを実現することができる。
【発明の効果】
【００４３】
本発明の情報提供システムは、以上のように、利用者が操作することで、所望の情報等を表示させることができるデジタルサイネージにおいて、電波到達範囲を細かく設定できるビーコンを搭載し、所望の距離以内にある携帯情報端末と双方向通信を行い、その結果、表示手段の表示態様を変化させたり、タッチセンサ操作を許容したり、特典を付与したりする。
【００４４】
したがって、これまでタッチパネルの操作位しか受付けられなかったデジタルサイネージの新たな操作手法を提案することができる。
【図面の簡単な説明】
【００４５】
【図１】本発明の実施の一形態に係る情報提供システムのシステム構成を示す図である。
【図２】前記システムに使用されるデジタルサイネージの電気的構成の一例を示すブロック図である。
【図３】前記システムに使用される携帯情報端末の電気的構成の一例を示すブロック図である。
【図４】本発明の実施の他の形態に係る情報提供システムのシステム構成を示す図である。
【図５】図４で示す実施形態の動作を説明するためのフローチャートである。
【図６】携帯情報端末に取得された電子クーポン画面の一例を示す図である。
【図７】本発明の実施の一形態に係るデジタルサイネージにおける表示画面の一例を模式的に示す図である。
【図８】図７における中段の表示領域を、詳細情報の表示に利用した場合の表示例を示す図である。
【発明を実施するための形態】
【００４６】
（実施の形態１）
図１は、本発明の実施の一形態に係る情報提供システムのシステム構成を示す図である。本システムは、デジタルサイネージ（ Digital Signage＝電子看板）１を使用して、図示しない利用者への情報提供を行うなど、利用者とのコンタクトを行い、その利用にあたって、利用者の所持する、所謂スマートフォンなどの携帯情報端末２を利用して、利用者を認証するものである。デジタルサイネージは、駅や空港、或いは博物館などで、タッチ操作に応じて案内画面を表示するような使い方が従来から行われているが、本実施形態は、デジタルサイネージの設置場所として、従来、あまり例の無い、大学や専門学校などの学校内とし、利用者としては学生を想定し、学生向けの情報を提供するものとする。
【００４７】
本システムは、前記デジタルサイネージ１および携帯情報端末２が、インターネットなどの回線５を介してデータセンター６に接続され、またデータセンター６が、同様にインターネットなどの回線５を介して、広告代理店などの該デジタルサイネージ１を利用したサービスを提供するサービス提供会社７や学校８に接続されて構成される。前記デジタルサイネージ１と携帯情報端末２との間は、Bluetooth（登録商標）９ａおよび近距離無線通信（ＮＦＣ）９ｂ（以下、総称する際は、参照符号９で示す）を介して、直接の通信も可能となっている。デジタルサイネージ１は、１または複数台が、利用者の集まる食堂やカフェテリアなどの利用事業所４に設置され、携帯情報端末２は、多数の利用者に利用されることは、勿論である。
【００４８】
学校８には、前記利用事業所４を含むが、この図１において参照符号８で示す部分は、学校の管理部門、学部学科や研究室など、学生に情報を発信すべき部門を表し、デジタルサイネージ１の利用事業所４とは分けて示している。その発信すべき情報は、休講案内や同窓会の案内、生協の情報などであり、パーソナルコンピュータやサーバコンピュータなどの情報処理端末８１で作成され、適宜データセンター６にアップロードされ、或いはサービス提供会社７に提供される。
【００４９】
サービス提供会社７は、スチルカメラ７１やムービーカメラ７２などで取材した素材に、パーソナルコンピュータなどの情報処理端末７３で編集や加工などの処理を施すとともに、文書データを作成して、デジタルサイネージ１の表示コンテンツとして、データセンター６のサーバコンピュータ６１にアップロードする。アップロードされたコンテンツは、適宜、各デジタルサイネージ１にダウンロードされ、後述するような表示が行われる。
【００５０】
後述するようにして、タッチパネル操作などで得られた利用者のデータなどは、デジタルサイネージ１からサーバコンピュータ６１に吸い上げられ、情報処理端末７３に与えられ、また適宜学校８にも提供される。この利用者のデータや、利用事業所４に対する課金の管理などの情報処理は、サーバコンピュータ６１または情報処理端末７３の何れか、或いは両者が協働して行う。
【００５１】
デジタルサイネージ１は、床面設置の筐体１０に、表示手段としての縦長の液晶パネル１８１が支持されて構成される。上述の説明では、デジタルサイネージ１は、回線５に接続されるネットワーク対応機で説明しており、該ネットワークを介して、サーバコンピュータ６１から、リアルタイムの操作や情報配信が可能である。これによって、突発的な広告出稿や告知にも迅速に対応することができるとともに、コンテンツを容易に変更することもでき、きめ細かな番組（広告やコンテンツ）編成を行うことができるようになっている。しかしながら、デジタルサイネージ１は、回線５に接続されないスタンドアロン機であってもよく、その場合は、ＵＳＢメモリやＳＤメモリカード等の記憶媒体を介して、表示内容を更新可能である。こうして、最新情報を提供することで、利用者の興味を惹き、また設置場所（利用事業所４）に即したリアルタイムなキャンペーンなどの情報配信が可能となっている。
【００５２】
図２は、デジタルサイネージ１の電気的構成の一例を示すブロック図である。液晶パネル１８１の前面の全域には、タッチセンサ１８２が設けられ、タッチパネル１８として構成される。そのタッチパネル１８と、スピーカ１７とが、該デジタルサイネージ１の筐体１０の外方へ向けて設置されている。このタッチパネル１８のタッチセンサ１８２への操作によって、利用者が所望する情報にアクセスできるようになる。
【００５３】
筐体１０の内部には、ＣＰＵなどで実現される情報処理装置１１と、ＲＯＭなどで実現される第１の記憶媒体１２と、ＲＡＭなどで実現される第２の記憶媒体１３と、ハードディスク装置やメモリカードなどで実現される補助記憶装置１４と、前記回線５を介して通信を行う通信インタフェイス１５１と、近距離無線通信（ＮＦＣ）９ｂによる無線通信を行う無線通信機１５２と、前記スピーカ１７およびタッチパネル１８も含めて、それらを接続するバスライン１９とを備えて構成される。表示手段としては、液晶パネル１８１に限らず、プラズマディスプレイや有機ＥＬディスプレイなどの他の表示手段が用いられてもよい。
【００５４】
補助記憶装置１４は、サーバコンピュータ６１からダウンロードしたコンテンツを記憶する。第１の記憶媒体１２は、該デジタルサイネージ１の基本動作プログラムなどを予め記憶しており、第２の記憶媒体１３は、他の動作プログラムや、各動作プログラムの実行に必要な情報や、サーバコンピュータ６１からダウンロードしたプログラムを適宜記憶する。情報処理装置１１は、第１および第２の記憶媒体１２，１３ならびに補助記憶装置１４に記憶されたプログラムに基づき、第２の記憶媒体１３や補助記憶装置１４のデータを用いて、液晶パネル１８１の表示データを作成する表示駆動手段として機能し、またタッチセンサ１８２の操作を読み取る。
【００５５】
図３は、携帯情報端末２の電気的構成の一例を示すブロック図である。該携帯情報端末２は、所謂スマートフォンで実現される。したがって、該携帯情報端末２の筐体２０の正面には、表示手段としての液晶パネル２８１が設けられている。また、筐体２０の正面上部側にはスピーカ２７が、下部側にはマイクロフォン２６が、背面側にはカメラ３０が設けられている。液晶パネル２８１の前面の全域には、タッチセンサ２８２が設けられ、タッチパネル２８として構成される。
【００５６】
筐体２０の内部には、ＣＰＵなどで実現される情報処理装置２１と、ＲＯＭなどで実現される第１の記憶媒体２２と、ＲＡＭなどで実現される第２の記憶媒体２３と、ハードディスク装置やメモリカードなどで実現される補助記憶装置２４と、前記回線５としての携帯電話回線での通信を行う携帯電話送受信機２５１と、近距離無線通信（ＮＦＣ）９ｂによる無線通信を行う無線通信機２５２と、Bluetooth（登録商標）９ａによる無線通信を行う無線通信機２５３と、それらに、前記マイクロフォン２６、スピーカ２７、タッチパネル２８およびカメラ３０も含めて、互いに接続するバスライン２９とを備えて構成される。表示手段としては、液晶パネル２８１に限らず、有機ＥＬディスプレイなどの他の表示手段が用いられてもよい。
【００５７】
第１の記憶媒体２２は、該携帯情報端末２の基本動作プログラムなどを予め記憶しており、第２の記憶媒体２３は、他の動作プログラムや、各動作プログラムの実行に必要な情報などを記憶する。補助記憶装置２４は、サーバコンピュータ６１からダウンロードしたアプリケーションプログラムなどを適宜記憶する。情報処理装置２１は、第１および第２の記憶媒体２２，２３ならびに補助記憶装置２４に記憶されたプログラムに基づき、第２の記憶媒体２３や補助記憶装置２４のデータを用いて、液晶パネル２８１の表示データを作成したり、タッチセンサ２８２の操作を読み取る。
【００５８】
注目すべきは、本実施形態の情報提供システムでは、デジタルサイネージ１を設置し、利用者向けの情報を表示するにあたって、所謂スマートフォンから成る携帯情報端末２に、Bluetooth（登録商標）９ａによる無線通信を行う無線通信機２５３が標準搭載されるようになって来ていることから、デジタルサイネージ１側にも、Bluetooth（登録商標）９ａによる無線通信を行う無線通信機１５３を搭載し、ビーコンとして使用することである。
【００５９】
無線通信機１５３および情報処理装置１１は、ビーコン波１５３１を送信する第１の無線通信手段となり、無線通信機２５３および情報処理装置２１は、前記ビーコン波１５３１を受信して応答信号を返信することで双方向通信を実現する第２の無線通信手段となる。そして、表示駆動手段或いは制御手段となる情報処理装置１１が、前記無線通信機１５３で応答信号を受信し、正規の利用者であると認証すると、表示手段となる液晶パネル１８１の表示態様を変化するおよび／または、タッチパネル１８による操作を許容する。
【００６０】
その正規の利用者、つまり学生であることが認証できるように、本システムでは、少なくとも利用者の学籍番号および電子メールアドレスを、サーバコンピュータ６１に登録（利用者に入力）させるようになっている。前記学籍番号は、たとえば学部、学科、入学年度を表す数字や記号およびその年度内での学生の名簿順位などで構成される。前記電子メールアドレスとしては、〜＠unvなどの、学生が学校関係の情報をやり取りするのに使用する固有の電子メールアドレスである。たとえば、学生向けの情報としては、前記学校内であるので、休講案内や同窓会の案内、生協の情報など、多岐に亘る。こうして、利用者（学生）の学内のアドレスが登録されていると、学生向けの情報を、より適切に選択して提供することができる。また、利用者（学生）がデジタルサイネージ１の近くに居なくても、インターネットのメール回線（５）などを介して、サーバコンピュータ６１から携帯情報端末２に、直接に情報を提供することも可能になる。
【００６１】
ここで、有効な学籍番号および電子メールアドレスを学校８から割り当てられていれば、研究員や留学性などであってもよい。また、利用者の認証には、学籍番号および電子メールアドレス以外の、他の情報を含めるようにしてもよい。さらにまた、このデジタルサイネージ１を、一律に学生以外は操作不能とするのではなく、学生と、学生以外とで、タッチパネル１８による提供情報に、差を持たせるようにしてもよい。
【００６２】
本システムの手順としては、先ず、利用者が携帯情報端末２からインターネット回線（５）を介してサーバコンピュータ６１のホームページにアクセスし、該システム専用のアプリケーションプログラムをダウンロードすると、情報処理装置２１は、ダウンロードしたプログラムを補助記憶装置２４に格納する。ダウンロードすると、利用者は、適宜そのプログラムを起動し、初回には、タッチパネル２８から、前記学籍番号および電子メールアドレスを含む登録に必要な情報を入力して、利用登録を行う。登録情報に変更が生じた際も、適宜変更を行う。登録情報は、サーバコンピュータ６１側で、携帯情報端末２に固有のＩＤ（電話番号や機番など）と共に管理され、以降の携帯情報端末２のアクセス時には、このＩＤで登録の有無が確認される。
【００６３】
前記登録情報には、前記学籍番号および電子メールアドレスを含み、学生証記載の事項がさらに含まれていてもよい。たとえば、氏名、学校名、学部学科名などである。これらを携帯情報端末２の補助記憶装置２４などに記憶させておくことで、学生証に代えて、食堂（利用事業所４）や生協での決裁に用いたり、図書館の入館及び貸出カードとして用いたり、駐車場や各種書類発行機などの学内施設を利用する際に用いたりすることも可能になる。
【００６４】
そして、情報処理装置１１は、該デジタルサイネージ１の電源が投入されていると、無線通信機１５３から、Bluetooth（登録商標）９ａのBluetooth Low Energy（BLE）によるビーコン機能を使用してビーコン波１５３１を送信させている。前記ビーコン機能は、携帯情報端末２の位置情報を特定し、その位置情報に合わせた情報を配信する仕組み（O2O（Online to Offline）など）である。これを利用して、携帯情報端末２がデジタルサイネージ１からビーコンで検知される所定範囲にあれば、情報処理装置１１は携帯情報端末２の認証を行い、前記液晶パネル１８１の表示態様を変化したり、タッチパネル１８の操作を可能にする。
【００６５】
なお、このような表示や操作の切換え動作は、デジタルサイネージ１で行われてもよいが、以下のように登録情報をサーバコンピュータ６１に照会するので、サーバコンピュータ６１がデジタルサイネージ１側に指示を送信して行うようにしてもよい。
【００６６】
前記ビーコン波１５３１は、その到達範囲を、１０メートル程度／数メートル程度／数センチ程度と、３段階に設定可能になっている。具体的に、携帯情報端末２側では、情報処理装置２１が、無線通信機２５３を起動して、Bluetooth（登録商標）９ａの受信状態にある状態で、前記到達範囲に入り、ビーコン波１５３１を受信すると、補助記憶装置２４に格納されたアプリケーションプログラムを起動し、双方向の無線通信で、該携帯情報端末２をデジタルサイネージ１に認証させる。その認証は、情報処理装置１１が、通信インタフェイス１５１から回線５を介してサーバコンピュータ６１に、該携帯情報端末２の前記ＩＤを照会することで行われる。該携帯情報端末２の認証が取れると、情報処理装置１１は、上述のように、液晶パネル１８１の表示態様を変化させたり、タッチセンサ１８２からの入力操作を受付ける。
【００６７】
こうして、電波到達範囲を細かく設定できるビーコン（無線通信機１５３）をデジタルサイネージ１に搭載し、所望の距離（１５３１）以内にある携帯情報端末２と、双方向通信を行い、認証が取れると、液晶パネル１８１の表示内容を変更するので、これまでタッチパネル１８の操作位しか受付けられなかったデジタルサイネージ１の新たな操作手法を提案することができる。しかも、デジタルサイネージ１にはビーコン（無線通信機１５３）を搭載するだけで、すなわちコストが殆ど掛らず、ビーコン機能を有するスマートフォンなどを携帯情報端末２として使用して、すなわち携帯情報端末２側にはアプリケーションプログラムをダウンロードするだけで、本システムを実現することができる。
【００６８】
ここで、上記認証は、Bluetooth（登録商標）９ａ自体で行われるのではなく、近距離無線通信（ＮＦＣ）９ｂによって行なわれてもよい。これは、上述のように、ビーコン波１５３１の到達範囲は、１０メートル程度／数メートル程度／数センチ程度と、３段階に設定可能になっているが、付近での携帯情報端末２の存在を検知するには到達範囲が或る程度広い方が好ましく、正確な認証を行うためには、前記到達範囲が狭い方が好ましいためである。一方で、近距離無線通信（ＮＦＣ）９ｂの無線通信機２５２も、スマートフォンにほぼ標準で搭載されている。
【００６９】
したがって、Bluetooth（登録商標）９ａの到達範囲を前記１０メートル程度として付近の携帯情報端末２を起動させ、デジタルサイネージ１の前に立って実際に操作する利用者は、到達範囲が１メートルまでの近距離無線通信（ＮＦＣ）９ｂを使用するのが好ましい、そうすることで、複数の利用者がデジタルサイネージ１の周囲に存在しても、実際にタッチパネル１８の操作を行っている利用者を特定できる。また、登録された利用者がデジタルサイネージ１の付近に居なければ操作ができないので、デジタルサイネージ１付近に利用者を集める集客作用を実現することができる。さらにまた、ビーコン波１５３１の到達範囲は、前述のように段階的にしか設定できないのに対して、送信パワーで通信範囲を任意に設定できる近距離無線通信（ＮＦＣ）９ｂを併用することは、誤動作防止や認識精度の向上の面でも好適である。
【００７０】
ただし、近距離無線通信（ＮＦＣ）９ｂは、消費電力が少ないものの、前記到達範囲としては１ｍ程度が限度であるので、前記Bluetooth Low Energy（BLE）によるビーコン機能によって、近距離無線通信（ＮＦＣ）９ｂの無線通信機２５２を起動することで、確実に動作を行わせることができ、好ましい。また、前記Bluetooth Low Energy（BLE）のビーコン機能には、所謂プッシュ配信の機能があり、これを利用することで、スマートフォン側でも、利用者にタッチパネル１８、すなわちデジタルサイネージ１の操作が可能であることを、報知することができる。さらにまた、前記Bluetooth Low Energy（BLE）によるビーコン波１５３１の到達範囲に応じて、配信する情報を分けることもできる。
（実施の形態２）
図４は、本発明の実施の他の形態に係る情報提供システムのシステム構成を示す図である。本システムは、図１で示すシステムに類似し、対応する部分には同一の参照符号を付して、その説明を省略する。本システムは、携帯情報端末２を認証した結果の動作が、以下に詳述するように異なるだけであり、電気的構成も、図２および図３で示す構成に類似している。
【００７１】
本システムで注目すべきは、デジタルサイネージ１の情報処理装置１１は、携帯情報端末２の情報処理装置２１と上述のようなやり取りを行い、認証すると、電子マネー、電子クーポンまたはポイントの少なくとも１つの特典を付与することである。したがって、情報処理装置１１、或いはこれを管理するサーバコンピュータ６１は、特典付与手段を構成する。
【００７２】
図５は、本実施形態の動作を説明するためのフローチャートである。前述の通り、サービス提供会社７では、ステップＳ１において、デジタルサイネージ１の表示コンテンツを製作し、データセンター６のサーバコンピュータ６１にデータを登録（アップロード）する。一方、各デジタルサイネージ１には、ステップＳ２において、本システムのアプリケーションプログラムが、サーバコンピュータ６１などから、適宜、更新プログラムも含めてダウンロードされ、補助記憶装置１４などに格納されている。
【００７３】
ステップＳ３で、各デジタルサイネージ１は、ダウンロードしたプログラムに従い、サーバコンピュータ６１にアップロードされたコンテンツを、適宜ダウンロードしてタッチパネル１８に表示して情報発信を行うとともに、無線通信機１５２，１５３を起動して、ビーコン波１５３１も発信している。
【００７４】
この状態で、無線通信機２５３が立ち上がっている携帯情報端末２が所定の距離（１５３１）内に入ると、ステップＳ４で、携帯情報端末２側のアプリケーションプログラムが起動し、情報処理装置２１は無線通信機２５２を使用して、デジタルサイネージ１から、電子クーポンやポイントなどの特典の付与を受ける。受けた特典は、ステップＳ６で利用することができる。
【００７５】
なお、クーポンは、現金の代わりとして使用可能な利用券と、商品やサービスの購入時に購入金額を安くできる割引券との２種類に大別することができるが、本発明の対象は、それらの何れであってもよい。また、本実施形態では、双方向通信によって、デジタルサイネージ１から直接携帯情報端末２に特典を付与するように説明しているけれども、デジタルサイネージ１が前記双方向通信の結果をサーバコンピュータ６１へ送信し、サーバコンピュータ６１が携帯情報端末２を認証して、回線５を介して携帯情報端末２に特典を付与するようにしてもよい。マイレージはポイントの一種と考えることができ、以下、第１の特典として、電子クーポンで説明する。
【００７６】
図６には、取得された電子クーポンＣの一例を示す。本例では、デジタルサイネージ１の設置場所としては学生食堂であり、電子クーポンＣは、定食の割引券としている。この電子クーポンＣを取得すると、クーポン本体Ｃ１と共に、レジにおけるＰＯＳ３のリーダ３１での読み取り用のバーコードＣ２も表示される。また、その電子クーポンＣの使用の際に操作される釦Ｃ３も表示される。これらの表示は、デジタルサイネージ１から取得された電子クーポンＣのデータおよび予めダウンロードされているアプリケーションプログラムから、情報処理装置２１が実現する。
【００７７】
クーポン利用の釦Ｃ３の操作が行われると、たとえばバーコードＣ２の色が変化されたり、コントラストが向上されてりして、ＰＯＳ３のリーダ３１での該バーコードＣ２の読取り（クーポンの使用）が可能になる。電子クーポンＣには、図６において参照符号Ｃ４で示すような、たとえば異業種の広告を載せたり、その広告を利用して、該電子クーポンＣによる割引の原資を提供するスポンサーを募集するなどしてもよい。これによって、新たなビジネスモデルを構築することができる。図６の例では、広告Ｃ４は、バーゲンの広告である。
【００７８】
このように、デジタルサイネージ１が、ビーコン（１５３１）によって所定の距離内にある利用者の携帯情報端末２を認識した場合、特典付与手段である情報処理装置１１が、その携帯情報端末２に特典（図６の例では電子クーポンＣ）を付与することで、利用者である学生が、特典（図６の例では電子クーポンＣ）の入手などを目的として該デジタルサイネージ１を視聴する動機付けを行うことができ、集客効果を高めることができる。このようにしてもまた、デジタルサイネージ１の新たな操作手法を提案することができる。また、サーバコンピュータ６１側で、特典の種類や量を、任意に設定・更新することができ、サービス価値を向上することができる。
【００７９】
次に、第２の特典として、ポイントを付与する場合について説明する。ポイントの利用例としては、就職説明会の優先予約、各種イベントのチケットの優先予約、学内の駐車場の無料券、ガチャ機能などが挙げられる。ガチャ機能とは、予め準備された景品を争奪する抽選と考えることができる。前記景品としては、サンプル品や試供品などを想定することもでき、その場合、携帯情報端末２とサーバコンピュータ６１とが回線５を介して通信を行い、アンケートに答えることで抽選に進むようにしてもよい。
【００８０】
このポイントの場合、付与の仕方についても、種々の態様が考えられる。先ず、僚機の登録について説明する。僚機とは、相互に関連のある一の携帯情報端末と他の携帯情報端末との関係を示し、前記特典付与手段としての情報処理装置１１或いはこれを管理するサーバコンピュータ６１は、それらの一の携帯情報端末と他の携帯情報端末とを、相互に関連付けて登録する僚機登録機能を有する。所持する携帯情報端末２が僚機登録を行う利用者の関係としては、友達、サークル活動、同じ学科などの、複数人から成るグループが考えられる。
【００８１】
特典付与手段である情報処理装置１１やサーバコンピュータ６１は、僚機登録が行われると、新たなポイントを付与したり、以降のポイントの付与率をアップする。したがって、利用者がポイントの入手を目的として、友達（僚機）を勧誘することになり、該デジタルサイネージ１を視聴する動機付けを行うことができ、口コミなどと同様の集客効果を高めることができる。
【００８２】
さらに、その場合、特典付与手段である情報処理装置１１やサーバコンピュータ６１は、登録僚機の数が増える程、つまり大きなグループになる程、ポイントの付与を行う、或いは付与率をアップするようにしてもよい。そうすることで、前記口コミなどによる集客効果を、より高めることができる。
【００８３】
また、特にグループの場合、上述の僚機登録は、このデジタルサイネージ１の付近で行われるだけでなく、回線５を使用して、サーバコンピュータ６１で行うことも可能であり、その場合、任意の場所で、かつ任意の時刻に行うことができる。そこで、同じ時刻に、デジタルサイネージ１の前に集まった場合に、特典（ポイント）を付与するようなことも可能である。つまり、特典付与手段である情報処理装置１１やサーバコンピュータ６１は、複数の携帯情報端末２が、同時に前記応答信号を返信すると、前記特典（ポイント）をより多く付与すると言うものである。そうすることで、デジタルサイネージ１の付近に集まって、同時に特典を受ける僚機（友達）の数が多くなる程、より多くの特典（ポイント）を受けることができ、イベントなどに有効である。
【００８４】
他にも、特典付与手段である情報処理装置１１やサーバコンピュータ６１は、携帯情報端末の登録（アプリケーションプログラムをダウンロードしてユーザ登録する）時（ステップＳ２）、携帯情報端末２側でのアプリケーションプログラムの起動時（ステップＳ４）、またはクーポンやポイントなどの特典の使用時（たとえば、図６の釦Ｃ３の操作時）に、特典の付与を行うようにしてもよい。そうすることで、利用者は、本情報提供システムを使えば使う程、多くの特典を受けることができるようになる。
【００８５】
図７は、デジタルサイネージ１の表示例を模式的に示す正面図である。先ず、本発明のデジタルサイネージ１における液晶パネル１８１は、ポスターなどに代えて用いられ、広告媒体として注目が得易く、また柱などに効率良く設置できるように、筐体１０とともに、縦長に形成される。液晶パネル１８１としては、たとえば４６インチで、アスペクト比が１６：９のＨＤＴＶ用パネルである。
【００８６】
そして、情報処理装置１１によって、その縦長の１枚の液晶パネル１８１が、縦方向に上中下段を含む少なくとも３つの横長の表示領域Ｍ１，Ｍ２，Ｍ３に分割して利用される。本件発明者の経験によれば、縦長のパネルは、上述のように注目（宣伝効果）を惹き易いが、表示内容の確認は、横長のパネルが、利用者にとって容易である。本実施形態は、本件発明者によるこのような知見に基づく。なお、横長の表示領域Ｍ１，Ｍ２，Ｍ３は、それぞれの横長の液晶パネルで構成されてもよく、前記情報処理装置１１での画像データの作成処理等の要望に合わせて、１枚のパネルを分割使用するか、複数のパネルを組合わせて使用するかが、選択されればよい。
【００８７】
本実施形態では、情報処理装置１１は、上段の表示領域Ｍ１と中段の表示領域Ｍ２との間には、タイトル表示領域Ｍ４を設けている。図７の例では、液晶パネル１８１のアスペクト比が１６：９のＨＤＴＶ画面において、タイトル表示領域Ｍ４は、アスペクト比が略１：９であり、これによって、上中下段の表示領域Ｍ１，Ｍ２，Ｍ３は、アスペクト比が略５：９の横長の表示領域に略均等に分割され、画面のバランスが良く、また上述のように横長の表示領域で、見易くなっている。
【００８８】
そして、上段の表示領域Ｍ１には、たとえば前記ムービーカメラ７２などで撮影された動画コンテンツが表示され、タイトル表示領域Ｍ４には、その動画のタイトルが、たとえば前記情報処理端末７３で作成されて表示される。これによって、動画のタイトル（内容）を、途中から視聴した（覗き込んだ）利用者でも、容易に認識することができるようになっている。図７の例では、表示領域Ｍ１には、ボランティア活動の様子を示している。
【００８９】
さらに、本実施形態では、情報処理装置１１は、下段の表示領域Ｍ３に静的な画像を表示させ、中段の表示領域Ｍ２には、タッチセンサ１８２の操作に応答する動的な画像を表示させる。図７の例では、下段の表示領域Ｍ３における静的な画像としては、所定時間毎に更新される静止画の広告である。中段の表示領域Ｍ２における動的な画像としては、前記近距離無線通信（ＮＦＣ）９ｂで認証された利用者による選択・更新操作が可能な画面で、図７の例では、アイコンＡ１〜Ａ１１（総称するときには参照符号Ａで示す）である。そして、アイコンＡ１〜Ａ１１のタッチ操作に応答して、情報処理装置１１は、該中段の表示領域Ｍ２の表示内容を切換えたり、更新したり、或いは他の段の表示領域Ｍ１，Ｍ３，Ｍ４に、連携した表示を行わせる。
【００９０】
したがって、典型的な従来技術のデジタルサイネージでは、大画面のテレビジョン受像機のような横長画面で単純な動画を流すだけであったり、ガイダンス画面のように単純な全画面の更新を行うだけであるのを、本実施の形態のデジタルサイネージ１では、先ず縦長の液晶パネル１８１で注目を惹き、次に上段や下段の横長の表示領域Ｍ１，Ｍ３で広告などを見易く表示し、また中段の表示領域Ｍ２では、動的な選択・更新画面で、利用者の所望する有用な詳細な情報を表示することができる。これによって、従来に無い新たな利便性を有するデジタルサイネージを実現するようになっている。なお、タッチセンサ１８２は、本実施形態では、液晶パネル１８１の全面に設けられているが、少なくとも中段の表示領域Ｍ２の前面に設けられていればよい。
【００９１】
前記中段の表示領域Ｍ２自体の表示内容の切換えや更新としては、通常のアイコン操作と同様に、階層画面への深化やリンク先へのジャンプなどである。たとえば、図７におけるアイコンＡ１１を選択すると、広告先の各企業のアイコンの表示に切換わる。その先は、所謂スマートフォンにおけるスクロール操作などによって、頁捲りなどが行われてもよく、残余の表示領域Ｍ１，Ｍ３，Ｍ４に、連携した表示が行われてもよい。
【００９２】
こうして、情報処理装置１１は、上段や下段の表示領域Ｍ１，Ｍ３に、単純に予め定められたスケジュールで広告などを流すだけでなく、中段の表示領域Ｍ２に対するタッチセンサ操作に応答して、関連した内容の画像を表示させることで、利用者が興味のある広告などを選択して流すことができ、効果的である。また、情報処理装置１１は、縦長の液晶パネル１８１で最も注目し易い上段の表示領域Ｍ１に、動画を表示させることで、該デジタルサイネージ１の注目度（集客効果）を、より高めることができる。
【００９３】
ここで、上述の例では、前記電子クーポンＣやポイントなどの特典は、近距離無線通信（ＮＦＣ）９ｂによる認証の後、該近距離無線通信（ＮＦＣ）９ｂを介してデジタルサイネージ１から、或いはネットワークの回線５を介してサーバコンピュータ６１から、付与されている。ところが、近距離無線通信（ＮＦＣ）９ｂによる認証だけを行い、そのような特典の付与を、サーバコンピュータ６１や、該システムに参加していない外部のサイトにアクセスすることで行うようにしてもよい。また、特典の付与に限らず、利用者が所望する情報を、デジタルサイネージ１ではなく、携帯情報端末２に提供するようにしてもよい。
【００９４】
そのような携帯情報端末２への直接の特典や情報の提供には、該携帯情報端末２を、提供サイトに誘導する必要がある。その誘導は、たとえば図８で示すように、デジタルサイネージ１の液晶パネル１８１に、アクセスすべきアドレスを、２次元バーコードＭ５で表示することで実現することができる。図８の例では、中段の表示領域Ｍ２４における２次元バーコードＭ５では、求人のアドレスを表示している。利用者は、これらの２次元バーコードＭ５をカメラ３０で撮影して、それぞれのサイトにアクセスすることで、携帯情報端末２は、所望とする情報を取得することができる。取得された電子クーポンＣや情報のデータは、補助記憶装置２４などに記憶される。このような外部サイトへ誘導しての特典付与の場合は、広告の閲覧を、付与条件とすることもできる。
（実施の形態３）
本実施形態は、図１や図４と同様の構成を用いることができ、携帯情報端末２の認証を、サーバコンピュータ６１で行なう点で異なる。すなわち、上述の実施形態では、近距離無線通信（ＮＦＣ）９ｂや、Bluetooth（登録商標）９ａを用いて、デジタルサイネージ１の情報処理装置１１が携帯情報端末２を認証している。この点、通信距離（到達範囲の設定が難しい場合などでは、携帯情報端末の情報処理装置２１は、ビーコン波１５３１の到達範囲に入り、それを受信（入感）すると、そのことを、ビーコン波１５３１のＩＤに自機のＩＤを付加してサーバコンピュータ６１に通知することで、サーバコンピュータ６１がデジタルサイネージ１の情報処理装置１１に、前述のような所定の動作、たとえば表示を変えたり、音を出したり、タッチ操作を可能にしたりすると言うものである。
【００９５】
このようにしてもまた、利用者が所定の距離にあると、デジタルサイネージ１の動作が自動的に変化するので、これまでタッチパネル１８の操作位しか受付けられなかったデジタルサイネージ１の新たな操作手法を提案することができる。
【符号の説明】
【００９６】
１    デジタルサイネージ
１０    筐体
１１    情報処理装置
１２    第１の記憶媒体
１３    第２の記憶媒体
１４    補助記憶装置
１５１  通信インタフェイス
１５２，１５３  無線通信機
１７    スピーカ
１８    タッチパネル
１８１  液晶パネル
１８２  タッチセンサ
２    携帯情報端末
２０    筐体
２１    情報処理装置
２２    第１の記憶媒体
２３    第２の記憶媒体
２４    補助記憶装置
２５１  携帯電話送受信機
２５２，２５３  無線通信機
２６    マイクロフォン
２７    スピーカ
２８    タッチパネル
２８１  液晶パネル
２８２  タッチセンサ
３０    カメラ
５    回線
６    データセンター
６１    サーバコンピュータ
７    サービス提供会社
７１    スチルカメラ
７２    ムービーカメラ
７３    情報処理端末
８    学校
８１    情報処理端末
Ａ１〜Ａ１１  アイコン
Ｍ５    ２次元バーコード
【図１】
2017125901.tif 000003
【図２】
2017125901.tif 000004
【図３】
2017125901.tif 000005
【図４】
2017125901.tif 000006
【図５】
2017125901.tif 000007
【図６】
2017125901.tif 000008
【図７】
2017125901.tif 000009
【図８】
2017125901.tif 000010